(57)【特許請求の範囲】
【請求項１】
上部が開口し内部に物品挿通用の空間が形成され、少なくともその一部が地中に埋設される本体部分と、該本体部分の開口部を開閉可能に閉塞する蓋体とからなり、本体部分に内部空間を区画する区画具を着脱可能に設け、本体部分をその底部が緩やかなＶ形に形成され、該Ｖ形の中央部分にケーブル乃至管材の設置部を円弧状に形成するとともに、ケーブル乃至管材の設置部の上方部分にＬ字形の区画具を設けたことを特徴とする側溝形成部材。
【発明の詳細な説明】
【０００１】
【発明の属する技術分野】
本発明は側溝形成部材に関するものである。本発明の側溝形成部材で形成される側溝は、その一部、例えば蓋体部分が露出するものに限られず、側溝全体が地中に埋設されるものも包含する。
【０００２】
【従来の技術】
雨水を流すために道路の側方に設置されている従来からある側溝は、Ｕ字形に形成されたコンクリート製の単位部材を連結して所謂「Ｕ字溝」を形成しその上部開の部分を蓋するようにしている。
【０００３】
【発明が解決しようとする課題】
近年市街地の美観や安全上、電力線や光等の通信ケーブルは地中に埋設されるようになっている。この電力線や光等の通信ケーブルを埋設するには先ず、交通を遮断した状態にする。 次に道路を掘り起こし、ケーブルを敷設した後、その上方を覆土するのであるが、こ うした作業が埋設されるケーブル毎に行われたり、増設のたびに上記の工事が行われ るために、ケーブルの敷設に多大の手間と時間を要し、敷設のコストも高くなってしまうという問題があった。そこで、本発明は上記問題点に鑑み提案されたもので、側溝を利用することにより ケーブルの敷設を簡単に短時間で行え、敷設のコストの低減を図れる側溝形成部材を 提供できるようにすることを目的とするものである。
【０００４】
【課題を解決するための手段】
上記目的を達成するために本発明にかかる側溝形成部材は、上部が開口し内部に物品挿通用の空間が形成され、少なくともその一部が地中に埋設される本体部分と、該本体部分の開口部を開閉可能に閉塞する蓋体とからなり、本体部分に内部空間を区画する区画具を着脱可能に設け、本体部分をその底部が緩やかなＶ形に形成され、該Ｖ形の中央部分にケーブル乃至管材の設置部を円弧状に形成するとともに、ケーブル乃至管材の設置部の上方部分にＬ字形の区画具を設けたことを特徴とする
【０００５】
【発明の実施の形態】
以下、本発明の側溝部材にかかる一実施の形態を図面に基づいて説明する。図１は側溝部材の分解図、図２は側溝部材の正面図を示し、図中符号１は側溝部材を全体的に示す。この側溝部材１は、少なくともその一部が地中に埋設される本体部分２と、この本体部分２の開口部３を開閉可能に閉塞する蓋体４とからなり、本体部分２及び蓋体４は、プレスによる型押し成型コンクリートで所定の単位長さ、例えば９０ｃｍの長さに形成されている。
【０００６】
上記蓋体４は、本体部分２の開口部３を被蔽する緩やかに湾曲した蓋板部分５とこの蓋板部分５の側縁から略垂直に垂下された側縁部分６とを一体に形成してなる。一方、本体部分２は、底部７の中央部分にケーブル乃至管材の設置部８を半円状に形成するとともに、後述の区画具９・９が取り付けられる板状部分１０・１０が半円状の設置部８の両端部からを斜め上向きに傾斜させた状態で延出され、図２の正面視において当該底部７が緩やかなＶ形となるように形成されている。上記板状部分１０・１０の端部は上方に立ち上がった状態に形成され、その上端部分１０ａ・１０ａに蓋体４の側縁部分６を受けるための受け部１１が形成されている。
【０００７】
また、板状部分１０・１０に取り付けられる区画具９・９は、不銹性金属板材をＬ型にし、本体部分２と略同じ長さに形成してあり、板状部分１０・１０に形成された取り付け座１２に対面する部分にはボルト・ナットからなる取り付け具１３を挿通するための挿通孔が穿設されている。尚、図中符号１４は区画具９・９に形成された補強用リブであり、符号１５は本体部分２の内面部分に設けられた補強リブである。
【０００８】
上記のように形成された側溝部材１を用いて各種のケーブル乃至管材を敷設する手順を次に説明する。図３に示すように、先ず、ボルト・ナットからなる取り付け具１３で板状部分１０・１０にＬ形の区画具９・９を確りと固定しておく。次に、区画具９・９が取り付けられた側溝部材１の本体部分２を道路１６と建物１７の敷地１８との境界部分に端部同士を当接させた状態で連続状に設置する。すると内部が区画具９・９により概ね３つに分割された通路（物品挿通用空間）Ａ・Ｂ・Ｃが形成される（図２参照）。
【０００９】
こうして形成された通路Ａ・Ｂ・Ｃの例えば、通路Ｂには上水道管若しくはガス管等の管材２０を敷設し、通路Ａには電力線用ケーブル２１を、通路Ｃには通信用ケーブル２２を夫々敷設する。ここで、通路Ｂの設置部８に敷設される管材２０が対面する区画具９・９の間隔よりも太い場合、取り付け具１３を弛めて、Ｌ形の区画具９・９を押し広げてから挿入することになる。各通路Ａ・Ｂ・Ｃに夫々種類の異なる複数のケーブル２１・２２や管材２０が敷設された後、本体部分２の上端開口部分に蓋体４を嵌合させるとケーブル２１・２２や管材２０の敷設作業が完了するのである。
【００１０】
尚、本例のように、区画具９・９を不銹性金属板材で形成すると、これがシールド効果を奏し、ノイズの防止にも寄与するがこうしたものに限られず、合成樹脂やその他の板状部材で形成することができるのは勿論のことである。また、上記実施の形態では、区画具９・９を一対も受けるようにしてあるが、いずれか一方にすることもできる。更に上記実施の形態では図上蓋体４が地上に露出するようになっているが、地中に埋設されるものでも本発明を実施できるのは勿論であり、本来の用途である雨水を流すのに利用することができるのは言うまでもないことである。加えて、図１に想像線で示すように区画具９・９にバンド用透孔２５を形成しておくと、各通路Ａ・Ｂ・Ｃに敷設されたケーブル２１・２２や管材２０をバンドで固定する場合に至便なものとなる。
【００１１】
【発明の効果】
以上に説明したように本発明にかかる側溝部材は、上部が開口し内部に物品挿通用の空間が形成され、少なくともその一部が地中に埋設される本体部分と、該本体部分の開口部を開閉可能に閉塞する蓋体とからなり、本体部分に内部空間を区画する区画具を着脱可能に設け、本体部分をその底部が緩やかなＶ形に形成され、該Ｖ形の中央部分にケーブル乃至管材の設置部を円弧状に形成するとともに、ケーブル乃至管材の設置部の上方部分にＬ字形の区画具を設けるようにしてあるので、当該側溝部材を連結して形成された側溝に種類の異なる複数のケーブルや管材を区画具で種類別に分けられた状態で挿通することができる。
【００１２】
また、側溝は区画整理を行う時に敷設されるので、ケーブルや管材を敷設する場合、側溝に設置するだけの簡単な作業で済み、短時間で簡単に敷設作業が行える。これにより、敷設コストを低減することができるとともに、敷設作業時の交通の遮断も短時間にして交通の渋滞も可及的に減少させることができる利点がある。
【図面の簡単な説明】
【図１】は本発明にかかる側溝部材の分解図である。
【図２】は本発明にかかる側溝部材の正面図である。
【図３】は本発明にかかる側溝部材の使用例の一部切り欠き斜視図である。
【符号の説明】
１・・・側溝部材
２・・・本体部分
３・・・開口部
４・・・蓋体
７・・・底部
８・・・設置部
９・・・区画具
２０・・・管材
２１・２２・・・ケーブル
Ａ・Ｂ・Ｃ・・・通路（物品挿通用空間）
【図１】
0004439133.tif 000002
【図２】
0004439133.tif 000003
【図３】
0004439133.tif 000004